(57)【要約】【課題】１つのペーパースタンドで２枚の紙片を同時に、重ならないように掲示できれば、仕事場でも家庭でも便利である。また係止具を表裏両面に配してペーパースタンドを小さくできれば、什器や備品上などのスペースの限られたところで使用することができて便利である。さらにキッチンや洗面所などの、タイルやガラスあるいはコンクリートでできた堅剛な壁面にもピン止めで紙面を掲示できたら便利である。上記を一括して解決することを課題とする。【解決手段】事務所や家庭などで使うメモ、伝言書、クーポン券、写真等々の紙片を係止するペーパースタンドであり、台座片と前記台座片と上端で連結した開閉片とから構成され、前記開閉片の前面に保持体を、前記開閉片の裏面に差止めピンを備えている。【選択図】図２
2013172877.tif 000002
【特許請求の範囲】
【請求項１】
事務所や家庭などで使うメモ、伝言書、クーポン券、写真等々の紙片を係止するペーパースタンドであり、台座片と前記台座片と上端で連結した開閉片とから構成され、前記開閉片の前面に保持体を、前記開閉片の裏面に差止めピンを備えていることを特徴とするペーパースタンド。
【発明の詳細な説明】
【技術分野】
【０００１】
開閉式仕組みによる紙片の係止に関する
【背景技術】
【０００２】
従来、複数の物品を吊り下げる技術が開示されている（例えば、特許文献１を参照。）。この方法は開閉挟板、フック、係止部を設けた吊下取付具である。
【０００３】
特許文献１によれば、複数の物品を1つの基盤を用いて係止することで本願発明と類似する。
【０００４】
本願発明は、保持体と差止めピンが開閉片の前面と裏面にそれぞれ具備されている点で異なる。
【０００５】
折り畳みフックの技術が開示されている（例えば、特許文献２を参照。）。この方法は使用時にはフック突出させ、不使用時にはフックを格納する。
【０００６】
特許文献２によれば、フックが開閉することで本願発明と類似する。
【０００７】
本願発明は、保持体を備えた開閉片の全体が開閉する点で異なる。
【０００８】
ダブルフックの技術が開示されている（例えば、特許文献３を参照。）。この方法はダブルフックをヒンジで連結する。
【０００９】
特許文献３によれば、２つのフックにより、２つのものを重ならずに掛けられることで本願発明と類似する。
【００１０】
本願発明は、家具、什器等の側面や壁面などの平面に接着して使用され、係止される２枚の紙片は、共に正面に向かって掲示される点と開閉片の開閉が前後になされる点で異なる。
【先行技術文献】
【特許文献】
【００１１】
【特許文献１】実用新案登録第３０１３２６４号公報（第１頁）
【特許文献２】特開平７−２５５５８６号公報（第１頁）
【特許文献３】特開２００６−２９６６４３号公報（第１、６、１２頁）
【発明の概要】
【発明が解決しようとする課題】
【００１２】
１つのペーパースタンドで２片の紙面を同時に、重ならないように掲示できれば、仕事場でも家庭でも便利である。
【００１３】
係止具を表裏両面に配してペーパースタンドを小さくできれば、什器や備品上などのスペースの限られたところで使用することができて便利である。
【００１４】
キッチンや洗面所などの、タイルやガラスあるいはコンクリートでできた堅剛な壁面にもピン止めで紙面を掲示できたら便利である。
【００１５】
本願発明は、上記の課題を一括して解決できる方法を提供することを目的とする。
【課題を解決するための手段】
【００１６】
上記課題を解決するために、請求項１の発明は、事務所や家庭などで使うメモ、伝言書、クーポン券、写真等々の紙片を係止するペーパースタンドであり、台座片と前記台座片と上端で連結した開閉片とから構成され、前記開閉片の前面に保持体を、前記開閉片の裏面に差止めピンを備えていることを主旨とする。
【発明の効果】
【００１７】
開閉片の前面に保持体を、裏面に差止めピンを配置することで、開閉片を大きくせずに済ませ、それでいて２片の紙面を重ならない状態で掲示することができ、さらにガラス面、タイル面あるいはコンクリート面であってもピン止めにより幾枚もの紙片を係止することがでる。
【図面の簡単な説明】
【００１８】
【図１】構造を示す側面図
【図２】全体を示す斜視図
【図３】紙片を係止した状態を示す側面図
【図４】紙片を係止した状態を示す正面図
【発明を実施するための形態】
【００１９】
図１は、開閉式ペーパースタンドの構造を示す側面図である。台座片１０と開閉片２０はそれぞれの上端で開閉片２０が開閉できるように連結されている。保持体２１と開閉片２０とはそれぞれの下部で接合している。差止めピン２２はピン先を台座片１０に向けて開閉片２０の裏面に固定されている。
【００２０】
図２は、全体を示す斜視図である。
【００２１】
図３は、２ヶ所で紙片を係止した状態を示す側面図である。台座片１０の裏面は壁面４０上に固定して設置されている。紙片Ａ３０は、開閉片２０と保持体２１が密接している間に差し込まれる形式で係止される。紙片Ｂ３１は差止めピン２２により穿孔されて、吊り下がる状態で係止される。そのとき差止めピン２２は、台座片１０に突き刺さった状態を維持している。差止めピン２２は紙片Ｂ３１を掲示するために係止することに加え、台座片１０と開閉片２０の間に幾枚かの紙片Ｂ３１を保存係止することができる。
【００２２】
図４は、紙片を係止した状態を示す正面図である。開閉式ペーパースタンドは紙片の係止の仕組みを外部に晒すことなく、保持体２１だけを表面に現し、簡素な仕組み、小さな形状でありながら、効率的に紙片Ａ３０と紙片Ｂ３１を重ならないように掲示する。
【産業上の利用可能性】
【００２３】
通常では差止めピンが使えないコンクリートやタイル、あるいは電子機器の筐体やガラスなどに対してもピン止めにより紙片を係止することができるようなるため、家庭や、事務所内の様々な場所で適用できる。また小さい形状なので、什器や備品にも適用できる。
【符号の説明】
【００２４】
１０  台座片
２０  開閉片
２１  保持体
２２  差止めピン
３０  紙片Ａ
３１  紙片Ｂ
４０  壁面
【図１】
2013172877.tif 000003
【図２】
2013172877.tif 000004
【図３】
2013172877.tif 000005
【図４】
2013172877.tif 000006
【手続補正書】
【提出日】平成24年6月24日(2012.6.24)
【手続補正１】
【補正対象書類名】特許請求の範囲
【補正対象項目名】請求項１
【補正方法】変更
【補正の内容】
【請求項１】
事務所や家庭などで使うメモ、伝言書、クーポン券、写真等々の紙片を係止するペーパースタンドであり、台座片と前記台座片と上端で連結した開閉片とから構成され、前記開閉片の前面に保持体を備え、さらに、前記台座片に差止めピンを突き刺したとき、前記差止めピンが斜め上方に向くように、角度をつけて前記差止めピンが前記開閉片の裏面に備えられていることを特徴とするペーパースタンド。
【手続補正２】
【補正対象書類名】明細書
【補正対象項目名】００１６
【補正方法】変更
【補正の内容】
【００１６】
上記課題を解決するために、請求項１の発明は、事務所や家庭などで使うメモ、伝言書、クーポン券、写真等々の紙片を係止するペーパースタンドであり、台座片と前記台座片と上端で連結した開閉片とから構成され、前記開閉片の前面に保持体え、さらに、前記台座片に差止めピンを突き刺したとき、前記差止めピンが斜め上方に向くように、角度をつけて前記差止めピンが前記開閉片の裏面に備えられていることを主旨とする。
【手続補正３】
【補正対象書類名】明細書
【補正対象項目名】００２１
【補正方法】変更
【補正の内容】
【００２１】
図３は、２ヶ所で紙片を係止した状態を示す側面図である。台座片１０の裏面は壁面４０上に固定して設置されている。紙片Ａ３０は、開閉片２０と保持体２１が密接している間に差し込まれる形式で係止される。紙片Ｂ３１は差止めピン２２により穿孔されて、吊り下がる状態で係止される。そのとき差止めピン２２は、台座片１０に斜め上方に突き刺さった状態を維持している。差止めピン２２は仮に差止めが不完全で開閉片２０が台座片１０から離れてもピン先が下向きにならず、紙片Ｂ３１を落下させることなく掲示するために係止することに加え、台座片１０と開閉片２０の間に幾枚かの紙片Ｂ３１を保存係止することができる。